(57)【特許請求の範囲】
【請求項１】
プッシュ式スイッチと前記プッシュ式スイッチの外周に設けられたダイヤル式スイッチとを有する操作部と、
出力装置の出力内容を判別する判別部と、
出力内容ごとに設定されている機能のうち、前記判別部によって判別された出力内容に設定された機能から、前記プッシュ式スイッチの操作で実行される機能と前記ダイヤル式スイッチの操作で実行される機能とを決定する機能決定部と
を備え、
前記機能決定部は、予め定められた組み合わせで前記プッシュ式スイッチの操作と前記ダイヤル式スイッチの操作とが実行された場合、予め定められた非常時処理の機能を実行すべき機能として決定することを特徴とする電子機器。
【請求項２】
前記機能決定部は、連続してパラメータの値を変更する機能を前記ダイヤル式スイッチの操作で実行される機能に決定し、処理を確定する機能を前記プッシュ式スイッチの操作で実行される機能に決定することを特徴とする請求項１記載の電子機器。
【請求項３】
前記操作部は、前記出力装置であるディスプレイの表示面が設けられた筐体面における非表示領域に配置されていることを特徴とする請求項１記載の電子機器。
【請求項４】
前記機能決定部は、ディスプレイの表示内容が項目選択画面である場合、前記項目選択画面に表示された項目を選択する機能を前記ダイヤル式スイッチの操作で実行される機能に決定し、項目の選択を確定する機能を前記プッシュ式スイッチの操作で実行される機能に決定することを特徴とする請求項２記載の電子機器。
【請求項５】
前記機能決定部は、ディスプレイの表示内容が地図表示画面である場合、地図表示の縮尺を変更する機能を前記ダイヤル式スイッチの操作で実行される機能に決定し、前記地図表示画面から画面遷移する機能を前記プッシュ式スイッチの操作で実行される機能に決定することを特徴とする請求項２記載の電子機器。
【請求項６】
前記機能決定部は、ディスプレイの表示内容がメディア再生画面である場合、メディアの音量を調整する機能を前記ダイヤル式スイッチの操作で実行される機能に決定し、前記メディア再生画面から画面遷移する機能を前記プッシュ式スイッチの操作で実行される機能に決定することを特徴とする請求項２記載の電子機器。
【請求項７】
前記機能決定部は、ディスプレイの表示内容が機器制御画面である場合、対象機器における制御パラメータを調整する機能を前記ダイヤル式スイッチの操作で実行される機能に決定し、前記機器制御画面から画面遷移する機能を前記プッシュ式スイッチの操作で実行される機能に決定することを特徴とする請求項２記載の電子機器。
【発明の詳細な説明】
【技術分野】
【０００１】
この発明は、プッシュ式スイッチとダイヤル式スイッチとが集約された操作部を有する電子機器に関する。
【背景技術】
【０００２】
従来から、プッシュ式スイッチとダイヤル式スイッチとが集約された操作部を有する電子機器が提案されている。例えば、特許文献１に記載される車載用音響装置のボリュームつまみは、回転操作されると、スピーカから出力される音量が調整され、押下されると、車載用音響装置の電源がオンまたはオフされる。
【先行技術文献】
【特許文献】
【０００３】
【特許文献１】特開２００５−９４２８１号公報
【発明の概要】
【発明が解決しようとする課題】
【０００４】
前述したようにプッシュ式スイッチとダイヤル式スイッチとを１つの操作部に集約することにより、これらのスイッチを別々の操作部とした場合に比べて操作部の配置スペースを削減することができる。
しかしながら、従来の電子機器では、プッシュ式スイッチの操作で実行される機能と、ダイヤル式スイッチの操作で実行される機能とが固定的に設定されていた。
このため、電子機器で実行可能な機能が増えると、これに伴って操作部の数も増加するという課題があった。このように操作部の数が増加すると、操作部の配置スペースが必要になることから、電子機器が大型になることが懸念される。【０００５】
この発明は上記課題を解決するもので、操作部の数の増加を抑えることができる電子機器を得ることを目的とする。
【課題を解決するための手段】
【０００６】
この発明に係る電子機器は、操作部、判別部および機能決定部を備える。この構成において、操作部は、プッシュ式スイッチとプッシュ式スイッチの外周に設けられたダイヤル式スイッチとを有する。判別部は、出力装置の表示内容を判別する。機能決定部は、出力内容ごとに設定されている機能のうち、判別部によって判別された出力内容に設定された機能から、プッシュ式スイッチの操作で実行される機能とダイヤル式スイッチの操作で実行される機能とを決定する。また、機能決定部は、予め定められた組み合わせで前記プッシュ式スイッチの操作と前記ダイヤル式スイッチの操作とが実行された場合、予め定められた非常時処理の機能を実行すべき機能として決定する。
【発明の効果】
【０００７】
この発明によれば、プッシュ式スイッチとダイヤル式スイッチとが１つの操作部に集約されており、プッシュ式スイッチの操作で実行される機能とダイヤル式スイッチの操作で実行される機能とが出力装置の出力内容に応じて変更される。
このように１つの操作部によって多数の機能を処理することができるので、操作部の数の増加を抑えることができる。
【図面の簡単な説明】
【０００８】
【図１】この発明の実施の形態１に係る電子機器の外観を示す図である。
【図２】実施の形態１に係る電子機器の機能構成を示すブロック図である。
【図３】図３Ａは、実施の形態１に係る電子機器の機能を実現するハードウェア構成例を示すブロック図である。図３Ｂは、実施の形態１に係る電子機器の機能を実現するソフトウェアを実行するハードウェア構成例を示すブロック図である。
【図４】実施の形態１に係る電子機器の動作を示すフローチャートである。
【図５】メニュー画面の一例を示す図である。
【図６】地図表示画面の一例を示す図である。
【図７】オーディオ再生画面の一例を示す図である。
【図８】エアコン調整画面の一例を示す図である。
【発明を実施するための形態】
【０００９】
以下、この発明をより詳細に説明するため、この発明を実施するための形態について、添付の図面に従って説明する。
実施の形態１．
図１は、この発明の実施の形態１に係る電子機器１の外観を示す図である。電子機器１は、例えば、車載用情報機器により実現される。車載用情報機器には、カーナビゲーション装置、カーオーディオ装置またはこれらの機能を兼ね備えたカーマルチメディア機器がある。また、車室内に備え付けられた機器ではなく、電子機器１をタブレット装置などの携帯端末で実現してもよい。
【００１０】
電子機器１では、図１に示すように筐体２の１つの面に出力装置３であるディスプレイが配置されており、操作部４が、ディスプレイの表示面が設けられた筐体面における非表示領域に設けられている。これにより、ディスプレイの表示内容を視認しながら操作部４を操作することができ、操作性を高めることができる。
【００１１】
操作部４は、プッシュ式スイッチ４ａとダイヤル式スイッチ４ｂを備える。プッシュ式スイッチ４ａは、外部に露出された操作部を押下操作することでオンオフするスイッチである。ダイヤル式スイッチ４ｂは、プッシュ式スイッチ４ａの外周に設けられ、プッシュ式スイッチ４ａ軸周りに回転操作することが可能である。
【００１２】
なお、図１では、電子機器１が出力装置３としてディスプレイを備えた構成を示したが、ディスプレイは、電子機器１に無線または有線で接続する別装置のディスプレイであってもよい。すなわち、ディスプレイなどの出力装置３は電子機器１に必須の構成ではなく、電子機器１が行った情報処理の結果を適宜出力できる装置であれば、外部装置であってもよい。
【００１３】
電子機器１が、ディスプレイを配置した筐体面をユーザに向けて使用される場合、操作部４を、ディスプレイの表示面が設けられた筐体面における非表示領域でありかつユーザから見て表示面の下側に配置してもよい。この位置に操作部４を配置することで、ユーザが操作部４を操作するときにユーザの手が表示面を隠すことを防止できる。これにより、操作性を高めることができる。
【００１４】
図２は、電子機器１の機能構成を示すブロック図である。なお、図２において、図１と同一の構成要素には同一の符号を付して説明を省略する。
電子機器１は、図２に示すように、出力装置３、操作部４、判別部５、機能決定部６、出力制御部７および機能実行部８を備える。
プッシュ式スイッチ４ａは、操作部を、図２中の矢印ａ方向に押下操作することでオンオフする。ダイヤル式スイッチ４ｂは、図２中の矢印ｂ方向に回転操作することが可能である。
【００１５】
判別部５は、ディスプレイなどの出力装置３の出力内容を判別する構成要素である。
例えば、判別部５は、出力装置３の出力内容を出力制御部７に問い合わせることにより出力内容を判別する。判別部５は、このように判別した出力内容を機能決定部６に通知する。なお、ディスプレイの表示内容としては、例えば、メニュー画面、地図表示画面、メディア再生画面または機器制御画面が挙げられる。
また、出力装置３としてはスピーカも考えられ、この場合、判別部５は、出力制御部７に問い合わせてスピーカの出力内容を判別する。
【００１６】
機能決定部６は、出力内容ごとに設定されている機能のうち、判別部５により判別された出力内容に設定された機能から、プッシュ式スイッチ４ａの操作で実行される機能と、ダイヤル式スイッチ４ｂの操作で実行される機能とを決定する。
また、出力装置３がディスプレイである場合、出力内容とは、ディスプレイの表示内容に相当し、出力装置３がスピーカである場合、出力内容とは、スピーカの音声出力内容に相当する。
【００１７】
例えば、ディスプレイの表示内容であるメニュー画面に設定された機能は、メニュー画面に表示された複数の項目から項目を選択する機能と、選択された項目に対応付けられた処理の実行を確定する機能とが挙げられる。機能決定部６は、ディスプレイにメニュー画面が表示されると、項目を選択する機能をダイヤル式スイッチ４ｂの操作で実行される機能に決定し、選択された項目の処理の実行を確定する機能をプッシュ式スイッチ４ａの操作で実行される機能に決定する。
【００１８】
また、ディスプレイの表示内容である地図表示画面に設定された機能は、例えば、地図表示の縮尺を変更する機能と、地図表示画面からの画面遷移させる機能とが挙げられる。
機能決定部６は、地図表示画面が表示されると、地図表示の縮尺を変更する機能をダイヤル式スイッチ４ｂの操作で実行される機能に決定し、地図表示画面からメニュー画面への画面遷移させる機能をプッシュ式スイッチ４ａの操作で実行される機能に決定する。
このようにプッシュ式スイッチ４ａの操作で実行される機能とダイヤル式スイッチ４ｂの操作で実行される機能とがディスプレイの表示内容に応じて変更されるので、操作部の数の増加を抑えることができる。
【００１９】
ダイヤル式スイッチ４ｂの操作は、ダイヤル回転角度を連続して変更するものであり、連続してパラメータの値を変更する機能の実行に適している。
一方、プッシュ式スイッチ４ａの操作は、操作部を押下することによるオンオフ操作であるので、ある処理を未確定な状態から確定状態に変更する機能および出力内容を新たな内容に切り替える機能の実行に適している。
機能決定部６は、プッシュ式スイッチ４ａとダイヤル式スイッチ４ｂのそれぞれの操作性を考慮して機能を決定する。例えば、連続してパラメータの値を変更する機能が、ダイヤル式スイッチ４ｂの操作で実行される機能に決定され、処理を確定する機能がプッシュ式スイッチ４ａの操作で実行される機能に決定される。このようにすることで、操作部４の操作性を高めることができる。
【００２０】
また、判別部５により判別されたスピーカの出力内容が、例えば、“どの地点を経由しますか？経由地候補として次の地点があります。○○コンビニ、△△ガソリンスタンド、□□駐車場、・・・”という経由地候補を選択させる内容であった場合を考える。
この場合、機能決定部６は、連続して値を変更可能なパラメータが経由地候補であると判断する。これにより、経由地候補を選択する機能が、ダイヤル式スイッチ４ｂの操作で実行される機能に決定され、選択された経由地候補を経由地に確定する機能が、プッシュ式スイッチ４ａの操作で実行される機能に決定される。
【００２１】
出力制御部７は、出力装置３の出力動作を制御する。また、出力制御部７は、判別部５から出力内容の問い合わせを受けると、出力装置３に出力させた内容を返信する。
機能実行部８は、操作部４が操作されると、機能決定部６により決定された機能を実行する。例えば、ディスプレイにメニュー画面が表示されたときにダイヤル式スイッチ４ｂが操作されると、機能実行部８は、メニュー画面上に表示された複数のメニュー項目から項目を選択する機能を実行する。
【００２２】
なお、図１では電子機器１が出力制御部７を備える構成を示したが、出力制御部７は、電子機器１とは別に設けられた出力装置３が備えてもよい。
また、機能実行部８は、電子機器１によって制御される外部装置が備えていてもよい。この場合、機能実行部８は、電子機器１の機能決定部６から通知された機能を、上記外部装置で実行する。このように、電子機器１は、操作部４、判別部５および機能決定部６を少なくとも備えていればよい。
【００２３】
図３Ａは、電子機器１の機能を実現するハードウェア構成例を示すブロック図である。図３Ｂは、電子機器１の機能を実現するソフトウェアを実行するハードウェア構成例を示すブロック図である。電子機器１における出力装置３は、図３Ａに示すように、ディスプレイ１００およびスピーカ１０１である。また、操作部４は、図１で示したものと同様にプッシュ式スイッチ４ａとダイヤル式スイッチ４ｂとを有する。
電子機器１における判別部５、機能決定部６、出力制御部７および機能実行部８の各機能は、処理回路によって実現される。すなわち、電子機器１は、これらの機能を逐次実行するための処理回路を備えている。
なお、処理回路は、専用のハードウェアであっても、メモリに格納されたプログラムを読み出して実行するＣＰＵ（Ｃｅｎｔｒａｌ  Ｐｒｏｃｅｓｓｉｎｇ  Ｕｎｉｔ）またはＧＰＵ（Ｇｒａｐｈｉｃ  Ｐｒｏｃｅｓｓｉｎｇ  Ｕｎｉｔ）であってもよい。
【００２４】
処理回路が、図３Ａに示す専用のハードウェアの処理回路１０２である場合、処理回路１０２は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。
また、判別部５、機能決定部６、出力制御部７および機能実行部８の各部の機能をそれぞれ処理回路で実現してもよいし、各部の機能をまとめて１つの処理回路で実現してもよい。
【００２５】
処理回路が、図３Ｂに示すようなＣＰＵ１０３である場合、判別部５、機能決定部６、出力制御部７および機能実行部８の機能は、ソフトウェア、ファームウェアまたはソフトウェアとファームウェアとの組み合わせにより実現される。
ソフトウェアとファームウェアは、プログラムとして記述され、メモリ１０４に格納される。ＣＰＵ１０３は、メモリ１０４に格納されたプログラムを読み出して実行することにより、各部の機能を実現する。すなわち、ＣＰＵ１０３によって実行されると各機能が結果的に実行されるプログラムを格納するためのメモリ１０４を備える。
また、これらのプログラムは、判別部５、機能決定部６、出力制御部７および機能実行部８の手順または方法をコンピュータに実行させるものである。
【００２６】
ここで、メモリとは、例えば、ＲＡＭ（Ｒａｎｄｏｍ  Ａｃｃｅｓｓ  Ｍｅｍｏｒｙ）、ＲＯＭ、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｋ）などが該当する。
【００２７】
なお、判別部５、機能決定部６、出力制御部７および機能実行部８の各機能について、一部を専用のハードウェアで実現し、一部を、ソフトウェアまたはファームウェアで実現してもよい。例えば、判別部５および機能決定部６は、専用のハードウェアの処理回路１０２でその機能を実現し、出力制御部７および機能実行部８は、ＣＰＵ１０３がメモリ１０４に格納されたプログラム実行することで、その機能を実現する。
このように、上記処理回路は、ハードウェア、ソフトウェア、ファームウェア、またはこれらの組み合わせによって前述の機能を実現することができる。
【００２８】
次に動作について説明する。
図４は電子機器１の動作を示すフローチャートであり、出力装置３であるディスプレイ１００の表示内容に応じてプッシュ式スイッチ４ａの操作で実行される機能とダイヤル式スイッチ４ｂの操作で実行される機能とが決定される一連の処理を示している。
まず、判別部５は、ディスプレイ１００の表示内容を判別する（ステップＳＴ１）。
例えば、判別部５は、ディスプレイ１００の表示内容がメニュー画面、地図表示画面、メディア再生画面、機器制御画面のいずれであるかを出力制御部７に問い合わせる。
また、出力装置３がスピーカ１０１である場合、判別部５は、スピーカ１０１から音声出力する内容をテキスト情報の形で出力制御部７から取得してもよい。
【００２９】
次に、機能決定部６は、判別部５によって判別された表示内容に設定された機能から、プッシュ式スイッチ４ａの操作で実行される機能とダイヤル式スイッチ４ｂの操作で実行される機能とを決定する（ステップＳＴ２）。
出力装置３がディスプレイ１００である場合は、ディスプレイ１００の表示内容ごとに実行対象の機能が予め設定されている。機能決定部６は、表示内容に設定されている機能と、プッシュ式スイッチ４ａとダイヤル式スイッチ４ｂとに設定すべき機能とを対応付けたデータを参照して機能を決定する。
【００３０】
例えば、メニュー画面には、画面表示されたメニュー項目を選択する機能および選択した機能を確定する機能を含む機能が設定されている。地図表示画面には、地図表示の縮尺を変更する機能および画面遷移を確定する機能を含む機能が設定されている。メディア再生画面には、メディアの音量を調整する機能および画面遷移を確定する機能を含む機能が設定されている。エアコンなどの機器制御画面には、対象機器における制御パラメータを調整する機能および画面遷移を確定する機能を含む機能が設定されている。
【００３１】
図５は、メニュー画面３Ａの一例を示す図である。表示内容がメニュー画面３Ａであると、機能決定部６は、連続して値を変更可能なパラメータが、メニュー画面３Ａに表示されたメニュー項目であり、処理を確定する機能が、選択されたメニュー項目に設定された処理の実行を確定する機能であると判断する。これにより、例えば、メニュー画面３Ａに表示されたメニュー項目を選択する機能が、ダイヤル式スイッチ４ｂの操作で実行される機能に決定され、メニュー項目の選択を確定する機能が、プッシュ式スイッチ４ａの操作で実行される機能に決定される。
【００３２】
このように機能を決定することで、ダイヤル式スイッチ４ｂの回転操作に合わせて図５中の矢印ｃに示すようにメニュー項目が順に選択される。選択されたメニュー項目の処理の実行を確定する場合、メニュー項目が選択された状態でプッシュ式スイッチ４ａを押下操作する。メニュー項目である“ＭＡＰ”が選択された状態でプッシュ式スイッチ４ａが押下操作されると、メニュー項目“ＭＡＰ”に対応付けられた地図表示画面への遷移処理の実行が確定される。これにより、メニュー画面３Ａから、後述する地図表示画面３Ｂに遷移する。
【００３３】
なお、項目選択画面としてメニュー画面３Ａを例に挙げたが、これに限定されるものではない。例えば、複数の経由地候補から経由地を選択させる画面であってもよい。
すなわち、実施の形態１では、複数の項目から項目を選択させる画面であればよい。
【００３４】
図６は、地図表示画面３Ｂの一例を示す図である。表示内容が地図表示画面３Ｂであると、機能決定部６は、連続して値を変更可能なパラメータが地図表示の縮尺であると判断し、処理を確定する機能が、地図表示画面３Ｂからメニュー画面３Ａへ遷移する機能であると判断する。これにより、地図表示の縮尺を変更する機能がダイヤル式スイッチ４ｂの操作で実行される機能に決定され、地図表示画面３Ｂからメニュー画面３Ａへ画面遷移する機能が、プッシュ式スイッチ４ａの操作で実行される機能に決定される。
このように機能を決定することにより、ダイヤル式スイッチ４ｂの回転操作に合わせて図６中の地図表示の縮尺が徐々に変更される。地図表示画面３Ｂからメニュー画面３Ａに戻す場合には、プッシュ式スイッチ４ａを押下操作すればよい。
【００３５】
図７は、オーディオ再生画面３Ｃの一例を示す図である。表示内容がオーディオ再生画面３Ｃであると、機能決定部６は、連続して値を変更可能なパラメータがオーディオ音量であると判断し、処理を確定する機能が、オーディオ再生画面３Ｃからメニュー画面３Ａへ遷移する機能であると判断する。これにより、オーディオ音量を変更する機能が、ダイヤル式スイッチ４ｂの操作で実行される機能に決定され、オーディオ再生画面３Ｃからメニュー画面３Ａへ画面遷移する機能が、プッシュ式スイッチ４ａの操作で実行される機能に決定される。
このように機能を決定することにより、ダイヤル式スイッチ４ｂの回転操作に合わせてオーディオの音量が徐々に変更される。また、オーディオ再生画面３Ｃからメニュー画面３Ａに戻す場合には、プッシュ式スイッチ４ａを押下操作すればよい。
【００３６】
図８は、エアコン調整画面３Ｄの一例を示す図である。表示内容がエアコン調整画面３Ｄであると、機能決定部６は、連続して値を変更可能なパラメータがエアコンの設定温度であると判断し、処理を確定する機能が、エアコン調整画面３Ｄからメニュー画面３Ａへ遷移する機能であると判断する。これにより、エアコンの設定温度を変更する機能が、ダイヤル式スイッチ４ｂの操作で実行される機能に決定され、エアコン調整画面３Ｄからメニュー画面３Ａへ画面遷移する機能が、プッシュ式スイッチ４ａの操作で実行される機能に決定される。
【００３７】
このように機能を決定することにより、ダイヤル式スイッチ４ｂの回転操作に合わせてエアコンの設定温度が徐々に変更される。エアコン調整画面３Ｄからメニュー画面３Ａに戻す場合には、プッシュ式スイッチ４ａを押下操作すればよい。
なお、ダイヤル式スイッチ４ｂの操作で実行される機能は、連続してパラメータの値を変更する機能であればよい。従って、ダイヤル式スイッチ４ｂの操作で実行される機能として、エアコンの風量を変更する機能を決定してもよい。
【００３８】
図５から図８を用いて例示したように、連続して値を変更可能なパラメータが表示内容から明確である場合、このパラメータを変更する機能がダイヤル式スイッチ４ｂの操作で実行される機能に決定される。これにより、表示内容と操作との対応関係が明確になり、操作性を高めることができる。
同様に、連続して値を変更可能なパラメータが音声出力内容から明確である場合には、このパラメータを変更する機能がダイヤル式スイッチ４ｂの操作で実行される機能に決定される。このようにしても、音声出力内容と操作との対応関係が明確になって、操作性を高めることができる。
【００３９】
また、１つの出力内容において、連続して値を変更可能なパラメータが複数ある場合、ダイヤル式スイッチ４ｂの操作で実行される機能を切り替える機能をプッシュ式スイッチ４ａの操作で実行される機能としてもよい。
例えば、エアコン調整画面３Ｄにおいて、プッシュ式スイッチ４ａを押下操作することで、ダイヤル式スイッチ４ｂの操作で実行される機能として既に決定されている機能を切り替えてもよい。これにより、エアコンの設定温度を変更する機能から、エアコンの風量を変更する機能に切り替えることが可能となる。
ただし、画面遷移の操作と機能の切り替えとが同じ操作にならないように、プッシュ式スイッチ４ａの押下操作の内容を変えてもよい。例えば、プッシュ式スイッチ４ａの押下時間または押下回数などを変えることなどが考えられる。
【００４０】
さらに、機能決定部６は、予め定められた組み合わせでプッシュ式スイッチ４ａの操作とダイヤル式スイッチ４ｂの操作とが実行された場合、予め定められた非常時処理の機能を実行すべき機能として決定してもよい。
非常時処理の機能としては、例えば、電子機器１の動作をリセットする機能、あるいは故障診断を行う機能などが挙げられる。
また、予め定められた組み合わせとしては、電子機器１の通常操作では行われない操作が挙げられる。例えば、プッシュ式スイッチ４ａを連続して３回押下し、続いてダイヤル式スイッチ４ｂを右方向に３回、左方向に２回、回転させる。このような操作は、通常は行われず、この操作が検出されると、非常時処理の機能が実行される。これにより、操作の利便性を高めることができる。
【００４１】
以上のように、この実施の形態１に係る電子機器１では、プッシュ式スイッチ４ａとダイヤル式スイッチ４ｂとが１つの操作部４に集約されている。さらに、プッシュ式スイッチ４ａとダイヤル式スイッチ４ｂの操作で実行される機能が、ディスプレイ１００の表示内容に応じて変更される。これにより、１つの操作部４の操作で複数の機能を実行することができるので、操作部の数の増加を抑えることができる。
【００４２】
また、実施の形態１に係る電子機器１において、機能決定部６が、連続してパラメータの値を変更する機能をダイヤル式スイッチ４ｂの操作で実行される機能に決定し、処理を確定する機能をプッシュ式スイッチ４ａの操作で実行される機能に決定する。
このように構成することで、操作部４の操作性を高めることができる。
【００４３】
さらに、実施の形態１に係る電子機器１において、操作部４は、ディスプレイ１００の表示面が設けられた筐体面における非表示領域に配置される。
このように構成することで、ディスプレイの表示内容を視認しながら操作部４を操作することができ、操作性を高めることができる。
【００４４】
なお、本発明は、その発明の範囲内において実施の形態における任意の構成要素の変形または実施の形態における任意の構成要素の省略が可能である。
【産業上の利用可能性】
【００４５】
この発明に係る電子機器は、操作部の増加が抑えられるので、例えば、車室内のように配置スペースが限られた空間に搭載される電子機器に好適である。
【符号の説明】
【００４６】
１  電子機器、２  筐体、３  出力装置、３Ａ  メニュー画面、３Ｂ  地図表示画面、３Ｃ  オーディオ再生画面、３Ｄ  エアコン調整画面、４  操作部、４ａ  プッシュ式スイッチ、４ｂ  ダイヤル式スイッチ、５  判別部、６  機能決定部、７  出力制御部、８  機能実行部、１００  ディスプレイ、１０１  スピーカ、１０２  処理回路、１０３  ＣＰＵ、１０４  メモリ。
【図１】
0006440915.tif 000002
【図２】
0006440915.tif 000003
【図３】
0006440915.tif 000004
【図４】
0006440915.tif 000005
【図５】
0006440915.tif 000006
【図６】
0006440915.tif 000007
【図７】
0006440915.tif 000008
【図８】
0006440915.tif 000009